(57)【要約】  ベースバンドチップ及び該ベースバンドチップに基づいた移動端末のマルチモードハンドオーバー方法を提供する。移動端末のベースバンドチップは、ソース符号化サブシステム（１０２）、無線送受信サブシステム（１０１）、及び、無線送受信及びソース符号化の共通制御・処理サブシステム（１００）の三つのサブシステムからなる。該ベースバンドチップは、ＣＭＯＳ技術に基づいた一つのシリコンチップで実現することができる。ベースバンドチップは、ＴＤ−ＳＣＤＭＡモード又はＴＤ−ＳＣＤＭＡモードのようなマルチモード移動端末に適用されることができる。第３世代移動通信技術の移動端末に対する新しい要求を満たし、重複する設計コストを低減する。また、本発明の上記ベースバンドチップに基づいた移動端末のための方法は、移動端末の異なる通信モード間のハンドオーバーを実現する。
2009502060.tif 000002
【特許請求の範囲】
【請求項１】
インタフェースモジュール（１００Ａ）、インタフェースモジュール（１００Ａ）を介して接続されるソース符号化・復号サブシステム（１０２）、無線送受信サブシステム（１０１）、共通制御処理サブシステム（１００）を含むベースバンドチップであって、
ソース符号化・復号サブシステム（１０２）は、ソースデータインタフェースからのソースデータを受信し、ソースデータのデータプロトコルと特定の速度データとを、ベースバンドチップの現在通信モードがサポートするフォーマットに変換し、変換後のデータを、インタフェースモジュール（１００Ａ）を介して無線送受信サブシステム（１０１）に送信し、同時に無線送受信サブシステム（１０２）からのデータのデータフォーマットを、ソースデータ側で受信するデータフォーマットに変換し、変換後のデータをソースデータインタフェースに送信し、
無線送受信サブシステム（１０１）は、インタフェースモジュール（１００Ａ）を介して共通制御処理サブシステム（１００）に制御されるものであり、データ及びシグナリングの符号化・復号、変調・復調、バースト形成を完成し、ＲＦモジュールの上り／下り周波数変換処理を経て、エアインタフェースから無線シグナリングとデータとを送受信し、同時にデータ又は音声サービスに対して専用及び共通の伝送チャネルを提供し、
共通制御処理サブシステム（１００）は、無線送受信サブシステム（１０１）とエアインタフェースとの時間シーケンス制御を実現し、ベースバンドチップの各サブシステム間の制御処理を完成させることを特徴とするベースバンドチップ。
【請求項２】
前記ソース符号化・復号サブシステム（１０２）は、
前記ソースデータインタフェースのデータインタフェース（１０７）との通信を実現し、前記データインタフェース（１０７）からのデータを符号化してインタフェースモジュール（１００Ａ）に送信し、インタフェースモジュール（１００Ａ）からのデータを復号して前記データインタフェース（１０７）に送信するインタフェース駆動モジュール（１０２１）及びデータ符号化・復号モジュール（１０２０）と、
前記ソースデータインタフェースの音声インタフェース（１０８）との通信を実現し、前記音声インタフェース（１０８）からの音声データを符号化してインタフェースモジュール（１００Ａ）に送信し、インタフェースモジュール（１００Ａ）からの音声データを復号して前記音声インタフェース（１０８）に送信するボコーダモジュール（１０２２）と
を含むことを特徴とする請求項１に記載のベースバンドチップ。
【請求項３】
前記ソース符号化・復号サブシステム（１０２）は、ビデオ高速アナログ／デジタル変換ＡＤＣ及びデジタル／アナログ変換ＤＡＣモジュール（１０２４）、及びビデオ符号化・復号モジュール（１０２３）を更に含み、前記ソースデータインタフェースのビデオセンサインタフェース（１０９）との通信を実現し、前記ビデオセンサインタフェース（１０９）からのデータに対して、ＡＤＣと符号化を行った後、インタフェースモジュール（１００Ａ）を介して無線送受信サブシステム（１０１）に送信し、同時に無線送受信サブシステム（１０１）からのデータに対して、ＤＡＣと復号を行った後、前記ビデオセンサインタフェース（１０９）に送信することを特徴とする請求項２に記載のベースバンドチップ。
【請求項４】
前記ボコーダモジュール（１０２２）は、
ＰＣＭ符号化の完成に必要なクロックを生成する局部クロック生成回路と、
クロックと結合してアナログ音声からデジタル音声への変換を完成するＧ.７１１パルス変調ＰＣＭ符号化・復号器と、
音声の音量を調整するための可変利得と、
デジタル音声に対するデータサンプリングを完成するデジタル／アナログ変換回路と
を含むことを特徴とする請求項２に記載のベースバンドチップ。
【請求項５】
前記データインタフェース（１０７）は、ＲＳ−２３２インタフェース、ＵＳＢ  ＯＴＧインタフェース、ＩＥＥＥ８０２.１１プロトコルに符合するインタフェース、ＩＥＥＥ８０２.３プロトコルに符合するインタフェース及びＰＣＭＣＩＡインタフェースのうちの一つ又は複数であることを特徴とする請求項２に記載のベースバンドチップ。
【請求項６】
前記無線送受信サブシステム（１０１）は、システム時間シーケンス制御・ＲＦ制御手段（１０１０）と、送信フィルタモジュール（１０１１）及び受信フィルタモジュール（１０１５）と、バースト成形モジュール（１０１２）と、マルチユーザ検出モジュール（１０１６）と、インタリーブモジュール（１０１３）及びデインタリーブモジュール（１０１７）と、チャネル符号化・プレクスモジュール（１０１４）及びチャネル復号・デプレクスモジュール（１０１８）とを含み、
システム時間シーケンス制御・ＲＦ制御手段（１０１０）は、エアインタフェースを介してＲＦモジュールを制御し、システム時間シーケンス制御・ＲＦ制御手段（１０１０）にはモード制御レジスタが設置され、共通制御処理サブシステム（１００）が該モード制御レジスタに対する制御を通じて、マルチモードシステム間のハンドオーバーを完成し、
送信フィルタモジュール（１０１１）及び受信フィルタモジュール（１０１５）は、ＩＱ信号の成形フィルタリングを完成し、送信フィルタモジュール（１０１１）はエアインタフェースのＴＸ＿Ｉ／Ｑに接続され、受信フィルタモジュール（１０１５）はエアインタフェースのＲＸ＿Ｉ／Ｑに接続され、
バースト成形モジュール（１０１２）は、ＴＤ−ＳＣＤＭＡプロトコルに符合するバーストを生成して、バーストビーム成形を送信することを完成し、
マルチユーザ検出モジュール（１０１６）は、データ復調、各ユーザデータの検出を完成し、
インタリーブモジュール（１０１３）及びデインタリーブモジュール（１０１７）はそれぞれ、送信待ちデータに対するインタリーブ操作と、受信した復調後のデータに対するデインタリーブ操作を行い、
チャネル符号化・プレクスモジュール（１０１４）及びチャネル復号・デプレクスモジュール（１０１８）は、データ伝送チャネルのエラーを低下させ、受信チャネルのＩＱデータは、チャネル復号・デプレクスモジュール（１０１８）によってチャネル復号とデプレクス操作を行われ、送信チャネルのＩＱデータは、チャネル符号化・プレクスモジュール（１０１４）によってチャネル符号化とプレクス情報操作を行われることを特徴とする請求項１に記載のベースバンドチップ。
【請求項７】
前記無線送受信サブシステム（１０１）は、暗号化及び復号化操作を完成するための暗号化・復号化アクセラレータモジュール（１０１９）を更に含み、共通制御処理サブシステム（１００）の制御の下で、インタフェースモジュール（１００Ａ）を介して送受信するデータに対して暗号化・復号化操作を行うことを特徴とする請求項６に記載のベースバンドチップ。
【請求項８】
前記暗号化・復号化アクセラレータモジュール（１０１９）には、異なる通信モードを設定して、異なるモードに応じて異なる暗号化操作を実現するためのモード設定レジスタが設置されていることを特徴とする請求項７に記載のベースバンドチップ。
【請求項９】
前記送信フィルタモジュール（１０１１）と受信フィルタモジュール（１０１５）は、それぞれ送信ＲＲＣフィルタと受信ＲＲＣフィルタであることを特徴とする請求項６に記載のベースバンドチップ。
【請求項１０】
前記送信／受信ＲＲＣフィルタは、係数を再配置可能なアクセラレータであることを特徴とする請求項９に記載のベースバンドチップ。
【請求項１１】
前記ＴＤ−ＳＣＤＭＡプロトコルに符合するバーストパルスは、下りパイロットＤＷＰＴＳ、上りパイロットＵＰＰＴＳ又は普通バーストパルスであることを特徴とする請求項６に記載のベースバンドチップ。
【請求項１２】
前記マルチユーザ検出モジュール（１０１６）には、マルチユーザ検出アクセラレータが設置されていることを特徴とする請求項６に記載のベースバンドチップ。
【請求項１３】
前記ユーザ検出アクセラレータは、汎用アクセラレータであることを特徴とする請求項１２に記載のベースバンドチップ。
【請求項１４】
前記インタリーブモジュール（１０１３）、デインタリーブモジュール（１０１７）には、それぞれインタリーブアクセラレータ、デインタリーブアクセラレータが設置され、インタリーブアクセラレータは、前記チャネル符号化・プレクスモジュール（１０１４）とともにチャネルの符号化を完成するために用いられ、デインタリーブアクセラレータは、前記チャネル復号・デプレクスモジュール（１０１８）とともにチャネルの復号を完成するために用いられることを特徴とする請求項６に記載のベースバンドチップ。
【請求項１５】
前記チャネル復号・デプレクスモジュール（１０１８）は、復号のためのＶｉｔｅｒｂｉ復号アクセラレータとＴｕｒｂｏ復号アクセラレータを含み、チャネル符号化・プレクスモジュール（１０１４）は、異なる通信モードのプロトコル要求に応じてデータに情報冗長を付加することを特徴とする請求項６に記載のベースバンドチップ。
【請求項１６】
複数のチャネル符号化・プレクスモジュール（１０１４）は、カスケード方式を採用してデータを符号化することを特徴とする請求項６に記載のベースバンドチップ。
【請求項１７】
前記無線送受信サブシステム（１０１）が提供する専用及び共通の伝送チャネルは、専用伝送チャネルＤＣＨ、ブロードキャストチャネルＢＣＨ、制御情報ページングチャネルＰＣＨ及びフォワードアクセスチャネルＦＡＣＨを含むことを特徴とする請求項１に記載のベースバンドチップ。
【請求項１８】
前記無線送受信サブシステム（１０１）が提供する専用及び共通の伝送チャネルは、上り共有チャネルＵＳＣＨと下り共有チャネルＤＳＣＨとを更に含むことを特徴とする請求項１７に記載のベースバンドチップ。
【請求項１９】
前記無線送受信サブシステム（１０１）が提供する専用及び共通の伝送チャネルは、ページング指示チャネルＰＩＣＨとフォワード物理アクセスチャネルＦＲＡＣＨとを更に含むことを特徴とする請求項１８に記載のベースバンドチップ。
【請求項２０】
前記共通制御処理サブシステム（１００）は、
一つ以上のデジタル信号プロセサーＤＳＰモジュール（１００１）及びＤＳＰプログラムとデータとを記憶するためのＤＳＰメモリ（１００２）と、一つ以上のマイクロ制御器ＭＣＵモジュール（１００３）及びＭＣＵプログラムとデータとを記憶するためのＭＣＵメモリ（１００４）と、電力・クロック管理モジュール（１００５）と、キーボード・表示駆動モジュール（１００６）及びＳＩＭ又はＵＳＩＭ回路（１０Ａ）に接続されたＳＩＭ又はＵＳＩＭ制御モジュール（１００Ｂ）と、システムモニタモジュール（１００７）と、周辺シリアルインタフェースモジュール（１００８）と、外部バスインタフェースモジュール（１００９）とを含み、
前記ＭＣＵモジュール１００３には、システム状態機が配置されており、システムに通信モードのハンドオーバー要求がないかをリアルタイムに検出し、前記ＤＳＰモジュール（１００１）と前記ＭＣＵモジュール（１００３）の間は、標準バス又は共有メモリでデータ交互を実現し、
前記電力・クロック管理モジュール（１００５）は、電池充電回路インタフェース（１０２）とリアルタイムクロック回路インタフェース（１０３）とを介して移動端末の電力とクロックとを管理し、
前記キーボード・表示駆動モジュール（１００６）、及びＳＩＭ又はＵＳＩＭ制御モジュール（１００Ｂ）は、単色表示モジュールとカラー表示モジュールとをサポートし、標準キーボードと拡張可能キーボードモジュールとをサポートし、
前記システムモニタモジュール（１００７）は、インタフェース（１０４）からのモニタデータを収集し、
前記周辺シリアルインタフェースモジュール（１００８）は、データのダウンロード、ソフトウェアのアップグレード又はデバッグに用いられ、
前記外部バスインタフェースモジュール（１００９）は、外部メモリを接続しサポートすることを特徴とする請求項１に記載のベースバンドチップ。
【請求項２１】
前記周辺シリアルインタフェースモジュール（１００８）は、ＭＣＵの専用シリアルであることを特徴とする請求項２０に記載のベースバンドチップ。
【請求項２２】
前記外部バスインタフェースモジュール（１００９）が接続しサポートする外部メモリは、データメモリＲＡＭ、プログラムメモリＲＯＭ、ＥＰＲＯＭ及びＥ２ＰＲＯＭを含むことを特徴とする請求項２０に記載のベースバンドチップ。
【請求項２３】
前記外部バスインタフェースモジュール（１００９）は、前記外部メモリに記憶されたデータを圧縮解除する圧縮解除器をさらに含むことを特徴とする請求項２２に記載のベースバンドチップ。
【請求項２４】
前記ベースバンドチップは、シングルチップに集成されていることを特徴とする請求項１に記載のベースバンドチップ。
【請求項２５】
ソース符号化・復号サブシステム（１０２）、無線送受信サブシステム（１０１）、共通制御処理サブシステム（１００）及びインタフェースモジュール（１００Ａ）を含むベースバンドチップに基づいた移動端末のマルチモードのハンドオーバーを実現する方法であって、
通信モードを予め設定し、移動端末に電力を供給すると、
ベースバンドチップが、前記設定した通信モードに基づき、前記無線送受信サブシステム（１０１）に対して、その各モジュールが現在の選択された通信モードで稼働するように配置するステップＡと、
前記移動端末が現在の通信モードで稼働し、通信モードのハンドオーバー要求がないかを判断し、ある場合、ステップＣに進み、ない場合、ステップＢに戻るステップＢと、
ベースバンドチップが、ハンドオーバーしようとする通信モードに基づいて通信モードを新たに設定し、移動端末をソフトリセットしてからステップＡに戻るステップＣと
を含むことを特徴とする方法。
【請求項２６】
前記通信モードを、前記無線送受信サブシステム（１０１）のシステム時間シーケンス制御・ＲＦ制御手段（１０１０）のモード制御レジスタに設定することを特徴とする請求項２５に記載の方法。
【請求項２７】
ステップＢにおいて、通信モードのハンドオーバー要求がないかを判断する前記方法は、
通信モードのハンドオーバー要求があるか否かを、ベースバンドチップのＭＣＵモジュール（１００３）のシステム状態機で検出して判断し、システム状態機の状態が通信モードの変化を表示する場合、通信モードのハンドオーバー要求があることを示し、表示しない場合、通信モードのハンドオーバー要求がないことを示すことを特徴とする請求項２５に記載の方法。
【発明の詳細な説明】
【技術分野】
【０００１】
本発明は、移動端末のチップ技術に関し、特に、３ＧＰＰの時分割―同期符号分割多重接続技術（ＴＤ−ＳＣＤＭＡ）などのプロトコルに符合し、ＴＤ−ＳＣＤＭＡモード又はＴＤ−ＳＣＤＭＡモードを含むマルチモードの移動端末に適用するベースバンドチップ、及び本発明のベースバンドチップに基づいた移動端末の異なる通信モード間のハンドオーバー方法に係る。
【背景技術】
【０００２】
ＴＤ−ＳＣＤＭＡ産業化のポイントは端末であるが、端末の技術上のネックは、端末チップに関する研究であることが知られている。第２世代移動端末のチップの設計は、固化された専用ハードウェア回路を使用して実現する傾向があり、ほんの一部においてソフトウェアでチップの設計を実現している。チップの初期設計から商業に用いられるまで３年から５年の時間がかかった。しかし、このような固化された専用ハードウェア回路で実現したチップは、新しい需要の変化を満足することが難しい。
【０００３】
ＴＤ−ＳＣＤＭＡは、国際電気通信連合（ＩＴＵ）が正式に承認した第３世代移動通信システム基準のひとつである。第３世代移動通信技術の移動端末に対して、より多く、より豊富に応用されること、マルチモードをサポートし、ユーザコストを節約すると共に、より柔軟なサービスを提供する能力を有し、事業者がより合理的にスペクトルム資源を利用することに有利であること、よりコストが低いこと、カスタマイズサービスを提供し、システムのアップグレードに便利であることが要求される。
【０００４】
新しい要求を満たし、新しいものに挑戦するために、移動端末設計のキーとなるチップの設計においては、チップの設計がより多くの移動端末に適応し、非重複する設計コストをなるべく低減させるように、最適化したシステムを使用しなければならない。
【０００５】
現在、ＴＤ−ＳＣＤＭＡモードを含むマルチモードの端末に適用する商業化専用ベースバンドチップはまだない。専用のベースバンドチップは、主にシステムの主制御手段でモードの選択を行い、ＲＦからのＩＱデータを受信して、該当するモードのベースバンド処理を完成すると共に、システムのベースバンド処理された送信待ちデータをＲＦチャネルから送信する。
【発明の開示】
【発明が解決しようとする課題】
【０００６】
本発明は、上記の問題に鑑み、ＴＤ−ＳＣＤＭＡモード又はＴＤ−ＳＣＤＭＡモードを含むマルチモードの移動端末に適用するベースバンドチップを提供することを主な目的とする。該移動端末のベースバンドチップは、第３世代移動通信技術の移動端末に対する新しい要求を満たすことができ、重複設計のコストを低減することができる。
【課題を解決するための手段】
【０００７】
上記目的を実現するために、本発明は、インタフェースモジュール１００Ａ、インタフェースモジュール１００Ａを介して接続されるソース符号化・復号サブシステム１０２、無線送受信サブシステム１０１、共通制御処理サブシステム１００を含むベースバンドチップを提供している。
【０００８】
ここにおいて、ソース符号化・復号サブシステム１０２は、ソースデータインタフェースからのソースデータを受信し、ソースデータのデータプロトコルと特定の速度データとを、ベースバンドチップの現在通信モードがサポートするフォーマットに変換し、変換後のデータを、インタフェースモジュール１００Ａを介して無線送受信サブシステム１０１に送信し、同時に無線送受信サブシステム１０２からのデータのデータフォーマットを、ソースデータ側で受信するデータフォーマットに変換し、変換後のデータをソースデータインタフェースに送信し、
無線送受信サブシステム１０１は、インタフェースモジュール１００Ａを介して共通制御処理サブシステム１００に制御されるものであり、データ及びシグナリングの符号化・復号、変調・復調、バースト形成を完成し、ＲＦモジュールの上り／下り周波数変換処理を経て、エアインタフェースから無線シグナリングとデータとを送受信し、同時にデータ又は音声サービスに対して専用及び共通の伝送チャネルを提供し、
共通制御処理サブシステム１００は、無線送受信サブシステム１０１とエアインタフェースとの時間シーケンス制御を実現し、ベースバンドチップの各サブシステム間の制御処理を完成させる。
【０００９】
上記ベースバンドチップにおいて、上記ソース符号化・復号サブシステム１０２は、
前記ソースデータインタフェースのデータインタフェース１０７との通信を実現し、前記データインタフェース１０７からのデータを符号化してインタフェースモジュール１００Ａに送信し、インタフェースモジュール１００Ａからのデータを復号して前記データインタフェース１０７に送信するインタフェース駆動モジュール１０２１及びデータ符号化・復号モジュール１０２０と、
前記ソースデータインタフェースの音声インタフェース１０８との通信を実現し、前記音声インタフェース１０８からの音声データを符号化してインタフェースモジュール１００Ａに送信し、インタフェースモジュール１００Ａからの音声データを復号して前記音声インタフェース１０８に送信するボコーダモジュール１０２２とを含む。
【００１０】
上記ベースバンドチップにおいて、前記ソース符号化・復号サブシステム１０２は、ビデオ高速アナログ／デジタル変換ＡＤＣ及びデジタル／アナログ変換ＤＡＣモジュール１０２４、及びビデオ符号化・復号モジュール１０２３を更に含み、前記ソースデータインタフェースのビデオセンサインタフェース１０９との通信を実現し、前記ビデオセンサインタフェース１０９からのデータに対して、ＡＤＣと符号化を行った後、インタフェースモジュール１００Ａを介して無線送受信サブシステム１０１に送信し、同時に無線送受信サブシステム１０１からのデータに対して、ＤＡＣと復号を行った後、前記ビデオセンサインタフェース１０９に送信する。
【００１１】
上記ベースバンドチップにおいて、前記ボコーダモジュール１０２２は、
ＰＣＭ符号化の完成に必要なクロックを生成する局部クロック生成回路と、
クロックと結合してアナログ音声からデジタル音声への変換を完成するＧ.７１１パルス変調ＰＣＭ符号化・復号器と、
音声の音量を調整するための可変利得と、
デジタル音声に対するデータサンプリングを完成するデジタル／アナログ変換回路とを含む。
【００１２】
上記ベースバンドチップにおいて、前記データインタフェース１０７は、ＲＳ−２３２インタフェース、ＵＳＢ  ＯＴＧインタフェース、ＩＥＥＥ８０２.１１プロトコルに符合するインタフェース、ＩＥＥＥ８０２.３プロトコルに符合するインタフェース及びＰＣＭＣＩＡインタフェースのうちの一つ又は複数である。
【００１３】
上記ベースバンドチップにおいて、前記無線送受信サブシステム１０１は、システム時間シーケンス制御・ＲＦ制御手段１０１０と、送信フィルタモジュール１０１１及び受信フィルタモジュール１０１５と、バースト成形モジュール１０１２と、マルチユーザ検出モジュール１０１６と、インタリーブモジュール１０１３及びデインタリーブモジュール１０１７と、チャネル符号化・プレクスモジュール１０１４及びチャネル復号・デプレクスモジュール１０１８とを含み、
システム時間シーケンス制御・ＲＦ制御手段１０１０は、エアインタフェースを介してＲＦモジュールを制御し、システム時間シーケンス制御・ＲＦ制御手段１０１０にはモード制御レジスタが設置され、共通制御処理サブシステム１００が該モード制御レジスタに対する制御を通じて、マルチモードシステム間のハンドオーバーを完成し、
送信フィルタモジュール１０１１及び受信フィルタモジュール１０１５は、ＩＱ信号の成形フィルタリングを完成し、送信フィルタモジュール１０１１はエアインタフェースのＴＸ＿Ｉ／Ｑに接続され、受信フィルタモジュール１０１５はエアインタフェースのＲＸ＿Ｉ／Ｑに接続され、
バースト成形モジュール１０１２は、ＴＤ−ＳＣＤＭＡプロトコルに符合するバーストを生成して、バーストビーム成形を送信することを完成し、
マルチユーザ検出モジュール１０１６は、データ復調、各ユーザデータの検出を完成し、
インタリーブモジュール１０１３及びデインタリーブモジュール１０１７はそれぞれ、送信待ちデータに対するインタリーブ操作と、受信した復調後のデータに対するデインタリーブ操作を行い、
チャネル符号化・プレクスモジュール１０１４及びチャネル復号・デプレクスモジュール１０１８は、データ伝送チャネルのエラーを低下させ、受信チャネルのＩＱデータは、チャネル復号・デプレクスモジュール１０１８によってチャネル復号とデプレクス操作を行われ、送信チャネルのＩＱデータは、チャネル符号化・プレクスモジュール１０１４によってチャネル符号化とプレクス情報操作を行われる。
【００１４】
上記ベースバンドチップにおいて、前記無線送受信サブシステム１０１は、暗号化及び復号化操作を完成するための暗号化・復号化アクセラレータモジュール１０１９を更に含み、共通制御処理サブシステム１００の制御の下で、インタフェースモジュール１００Ａを介して送受信するデータに対して暗号化・復号化操作を行う。
【００１５】
上記ベースバンドチップにおいて、前記暗号化・復号化アクセラレータモジュール１０１９には、異なる通信モードを設定して、異なるモードに応じて異なる暗号化操作を実現するためのモード設定レジスタが設置されている。
【００１６】
上記ベースバンドチップにおいて、前記送信フィルタモジュール１０１１と受信フィルタモジュール１０１５は、それぞれ送信ＲＲＣフィルタと受信ＲＲＣフィルタである。
【００１７】
上記ベースバンドチップにおいて、前記送信／受信ＲＲＣフィルタは、係数を再配置可能なアクセラレータである。
【００１８】
上記ベースバンドチップにおいて、前記ＴＤ−ＳＣＤＭＡプロトコルに符合するバーストパルスは、下りパイロットＤＷＰＴＳ、上りパイロットＵＰＰＴＳ又は普通バーストパルスである。
【００１９】
上記ベースバンドチップにおいて、前記マルチユーザ検出モジュール１０１６には、マルチユーザ検出アクセラレータが設置されている。
【００２０】
上記ベースバンドチップにおいて、前記ユーザ検出アクセラレータは、汎用アクセラレータである。
【００２１】
上記ベースバンドチップにおいて、前記インタリーブモジュール１０１３、デインタリーブモジュール１０１７には、それぞれインタリーブアクセラレータ、デインタリーブアクセラレータが設置され、インタリーブアクセラレータは、前記チャネル符号化・プレクスモジュール１０１４とともにチャネルの符号化を完成するために用いられ、デインタリーブアクセラレータは、前記チャネル復号・デプレクスモジュール１０１８とともにチャネルの復号を完成するために用いられる。
【００２２】
上記ベースバンドチップにおいて、前記チャネル復号・デプレクスモジュール１０１８は、復号のためのＶｉｔｅｒｂｉ復号アクセラレータとＴｕｒｂｏ復号アクセラレータを含み、チャネル符号化・プレクスモジュール１０１４は、異なる通信モードのプロトコル要求に応じてデータに情報冗長を付加する。
【００２３】
上記ベースバンドチップにおいて、複数のチャネル符号化・プレクスモジュール１０１４は、カスケード方式を採用してデータを符号化する。
【００２４】
上記ベースバンドチップにおいて、前記無線送受信サブシステム１０１が提供する専用及び共通の伝送チャネルは、専用伝送チャネルＤＣＨ、ブロードキャストチャネルＢＣＨ、制御情報ページングチャネルＰＣＨ及びフォワードアクセスチャネルＦＡＣＨを含む。
【００２５】
上記ベースバンドチップにおいて、前記無線送受信サブシステム１０１が提供する専用及び共通の伝送チャネルは、上り共有チャネルＵＳＣＨと下り共有チャネルＤＳＣＨとを更に含む。
【００２６】
上記ベースバンドチップにおいて、前記無線送受信サブシステム１０１が提供する専用及び共通の伝送チャネルは、ページング指示チャネルＰＩＣＨとフォワード物理アクセスチャネルＦＲＡＣＨとを更に含む。
【００２７】
上記ベースバンドチップにおいて、前記共通制御処理サブシステム１００は、一つ以上のデジタル信号プロセサーＤＳＰモジュール１００１及びＤＳＰプログラムとデータとを記憶するためのＤＳＰメモリ１００２と、一つ以上のマイクロ制御器ＭＣＵモジュール１００３及びＭＣＵプログラムとデータとを記憶するためのＭＣＵメモリ１００４と、電力・クロック管理モジュール１００５と、キーボード・表示駆動モジュール１００６及びＳＩＭ又はＵＳＩＭ回路１０Ａに接続されたＳＩＭ又はＵＳＩＭ制御モジュール１００Ｂと、システムモニタモジュール１００７と、周辺シリアルインタフェースモジュール１００８と、外部バスインタフェースモジュール１００９とを含み、
前記ＭＣＵモジュール１００３には、システム状態機が配置されており、システムに通信モードのハンドオーバー要求がないかをリアルタイムに検出し、前記ＤＳＰモジュール１００１と前記ＭＣＵモジュール１００３の間は、標準バス又は共有メモリでデータ交互を実現し、
前記電力・クロック管理モジュール１００５は、電池充電回路インタフェース１０２とリアルタイムクロック回路インタフェース１０３とを介して移動端末の電力とクロックとを管理し、
前記キーボード・表示駆動モジュール１００６、及びＳＩＭ又はＵＳＩＭ制御モジュール１００Ｂは、単色表示モジュールとカラー表示モジュールとをサポートし、標準キーボードと拡張可能キーボードモジュールとをサポートし、
前記システムモニタモジュール１００７は、インタフェース１０４からのモニタデータを収集し、
前記周辺シリアルインタフェースモジュール１００８は、データのダウンロード、ソフトウェアのアップグレード又はデバッグに用いられ、
前記外部バスインタフェースモジュール１００９は、外部メモリを接続しサポートする。
【００２８】
上記ベースバンドチップにおいて、前記周辺シリアルインタフェースモジュール１００８は、ＭＣＵの専用シリアルである。
【００２９】
上記ベースバンドチップにおいて、前記外部バスインタフェースモジュール１００９が接続しサポートする外部メモリは、データメモリＲＡＭ、プログラムメモリＲＯＭ、ＥＰＲＯＭ及びＥ２ＰＲＯＭを含む。
【００３０】
上記ベースバンドチップにおいて、前記外部バスインタフェースモジュール１００９は、前記外部メモリに記憶されたデータを圧縮解除する圧縮解除器をさらに含む。
【００３１】
上記ベースバンドチップにおいて、前記ベースバンドチップは、シングルチップに集成されている。
【００３２】
また、上記目的を更に実現するために、本発明は、ソース符号化・復号サブシステム１０２、無線送受信サブシステム１０１、共通制御処理サブシステム１００及びインタフェースモジュール１００Ａを含むベースバンドチップに基づいた移動端末のマルチモードのハンドオーバーを実現する方法を提供している。
【００３３】
該方法は、通信モードを予め設定し、移動端末に電力を供給すると、
ベースバンドチップが、前記設定した通信モードに基づき、前記無線送受信サブシステム１０１に対して、その各モジュールが現在の選択された通信モードで稼働するように配置（構成）するステップＡと、
前記移動端末が現在の通信モードで稼働し、通信モードのハンドオーバー要求がないかを判断し、ある場合、ステップＣに進み、ない場合、ステップＢに戻るステップＢと、
ベースバンドチップが、ハンドオーバーしようとする通信モードに基づいて通信モードを新たに設定し、移動端末をソフトリセットしてからステップＡに戻るステップＣとを含む。
【００３４】
上記方法において、前記通信モードは、前記無線送受信サブシステム１０１のシステム時間シーケンス制御・ＲＦ制御手段１０１０のモード制御レジスタに設定される。
【００３５】
上記方法において、ステップＢにおいて、通信モードのハンドオーバー要求がないかを判断する前記方法は、通信モードのハンドオーバー要求があるか否かを、ベースバンドチップのＭＣＵモジュール１００３のシステム状態機で検出して判断し、システム状態機の状態が通信モードの変化を表示する場合、通信モードのハンドオーバー要求があることを示し、そうしない場合、通信モードのハンドオーバー要求がないことを示す。
【発明の効果】
【００３６】
上記技術から分かるように、本発明の移動端末のベースバンドチップは、ソース符号化・復号サブシステム１０２、無線送受信サブシステム１０１、及び無線送受信及びソース符号化・復号の共通制御・処理サブシステム１００の三つのサブシステムからなり、三つのサブシステム間は、無線送受信サブシステムとソース符号化・復号サブシステムのインタフェースモジュール１００Ａを介して接続される。本発明のベースバンドチップは、ＣＭＯＳ技術に基づいた一つのシリコンチップを採用することができる。該ベースバンドチップは、ＴＤ−ＳＣＤＭＡモード又はＴＤ−ＳＣＤＭＡモードを含むマルチモードの移動端末に適用し、第３世代移動通信技術の移動端末に対する新しい要求を満たしており、重複する設計コストを低減することができる。また、本発明の上記ベースバンドチップに基づいた移動端末の異なる通信モード間のハンドオーバー方法によって、移動端末の異なる通信モード間のハンドオーバーを実現することができる。
【発明を実施するための最良の形態】
【００３７】
本発明の主なアイデアは、ベースバンドチップを構成するソース符号化・復号サブシステム１０２、無線送受信サブシステム１０１、及び無線送受信及びソース符号化・復号の共通制御・処理サブシステム１００を一つのシリコンチップ上に集成することである。該ベースバンドチップは、ＴＤ−ＳＣＤＭＡモード又はＴＤ−ＳＣＤＭＡモードを含むマルチモードの移動端末に適用し、第３世代移動通信技術の移動端末に対する新しい要求を満たしており、重複する設計コストを低減している。また、本発明は、上記ベースバンドチップに基づいた移動端末の異なる通信モード間のハンドオーバー方法によって、移動端末の異なる通信モード間のハンドオーバーを実現している。
【００３８】
以下、本発明の目的、技術案及び優れた点をより明らかにするために、図面を参照しながら好ましい実施形態を挙げて、本発明を更に詳しく説明する。
【００３９】
高い処理能力を有する低電力のデジタル信号プロセッサー（ＤＳＰ）技術のますますの成熟につれて、ソフトウェアラジオに基づいた移動端末のチップの設計技術は、その優勢を際立たせる。本発明は、ソフトウェアラジオ技術に基づき、更に適するチップシステム構造を設計し、移動端末設計のプラットフォームを構成して、絶えず変化するユーザ要求に適応し、マルチモードの端末の設計をサポートしようとするものである。本発明は、上記端末のチップの設計に基づいて、ＴＤ−ＳＣＤＭＡモードを含むマルチモードの端末のチップの設計問題を解決する。
【００４０】
図１は、本発明の移動端末のバースバンドチップの構成を示す図である。図１に示すように、本発明の移動端末のベースバンドチップは、主に、ソース符号化・復号サブシステム１０２、無線送受信サブシステム１０１、無線送受信及びソース符号化・復号の共通制御・処理サブシステム１００、及びインタフェースモジュール１００Ａからなる。無線送受信及びソース符号化・復号の共通制御・処理サブシステム１００を、以下、共通制御・処理サブシステム１００と言う。三つのサブシステム間は、インタフェースモジュール１００Ａを介して接続される。本発明のベースバンドチップは、ＣＭＯＳ技術による一つのチップで実現でき、一つのチップにベースバンドユニットを集成する。
【００４１】
ソース符号化・復号サブシステム１０２は、ソースデータインタフェースからのソースデータを受信し、ソースデータのデータプロトコルと特定の速度データとを、ベースバンドチップの現在通信モードがサポートするフォーマットに変換し、変換後のデータを、インタフェースモジュール１００Ａを介して無線送受信サブシステム１０１に送信し、同時に無線送受信サブシステム１０２からのデータのフォーマットを、ソースデータ側で受信するデータフォーマットに変換して、ソースデータインタフェースに送信する。
【００４２】
無線送受信サブシステム１０１は、データ及びシグナリングの符号化・復号、変調・復調、バースト形成の完成に用いられ、ＲＦモジュールの上り／下り周波数変換処理を経て、エアインタフェースから無線シグナリングとデータとを送受信する。該無線送受信サブシステム１０１は、制御バス１０及びインタフェースモジュール１００Ａを介して共通制御処理モジュール１００に制御される。同時に、該無線送受信サブシステム１０１は、いろいろなデータ又は音声サービスに専用及び共通の伝送チャネルを提供する。
【００４３】
共通制御処理サブシステム１００は、無線送受信サブシステム１０１とエアインタフェースの時間シーケンス制御に用いられ、ベースバンドチップの各サブシステム間の制御処理を完成させる。
【００４４】
以下、各サブシステムの機能及び構成をそれぞれ詳しく説明する。
【００４５】
１）ソース符号化・復号サブシステム１０２
ソース符号化・復号サブシステム１０２は、主に、ソースデータのデータプロトコルと特定の速度データとを、ＴＤ−ＳＣＤＭＡ又は他の通信モードがサポートするフォーマットに変換する。ここでソースデータは、ＰＣ、ＰＤＡ、ＦＡＸ、ＧＰＳ、電子マップ、ＰＯＴＳ、ＩＳＤＮ有線モデム、無線データ端末などであってもよい。そして、インタフェースモジュール１００Ａを介してカプセル化されたデータを無線送受信サブシステム１０１に送信すると共に、無線送受信サブシステム１０２からのデータフォーマットを、ソースデータ側で受信するデータフォーマットに変換して、ソースデータインタフェースに送信する。
【００４６】
ソース符号化・復号サブシステム１０２は、データインタフェース１０７と通信するインタフェース駆動モジュール１０２１及びデータ符号化・復号モジュール１０２０と、音声インタフェース１０８とを含む。
【００４７】
インタフェース駆動モジュール１０２１及びデータ符号化・復号モジュール１０２０は、上記ソースデータインタフェース中のデータインタフェース１０７との通信の実現に用いられ、上記データインタフェース（１０７）からのデータを符号化してインタフェースモジュール１００Ａに送信し、インタフェースモジュール１００Ａからのデータを復号して上記データインタフェース１０７に送信する。上記データインタフェースは、ＲＳ−２３２、ＵＳＢ  ＯＴＧ、ＩＥＥＥ８０２.１１、ＩＥＥＥ８０２.３及びＰＣＭＣＩＡなどのインタフェースであってもよい。
【００４８】
音声インタフェース１０８は、イヤホン及びスピーカーと通信するボコーダモジュール１０２２を含む。ボコーダモジュールは、上記ソースデータインタフェース中の音声インタフェース１０８との通信の実現に用いられ、上記音声インタフェース１０８からの音声データを符号化してインタフェースモジュール１００Ａに送信し、インタフェースモジュール１００Ａからの音声データを復号して上記音声インタフェース１０８に送信する。
【００４９】
ボコーダモジュール１０２２は、例えば３ＧＰＰ  ＴＳ２６.ｘｘｘ基準に符合するオーディオ／モデムライザー（ＡＭＲ）音声符号化・復号器などのいろいろな音声符号化・復号器を含んでもよい。データソース符号化・復号器モジュール１０２０は、３ＧＰＰ  ＴＲ  ２６.９０１などの他の基準に符合するブロードバンドＡＭＲ音声処理機能をサポートできる。
【００５０】
ボコーダモジュール１０２２は、Ｇ.７１１基準に符合するパルス変調（ＰＣＭ）符号化・復号器と、局部クロック生成回路と、可変利得と、デジタル／アナログ・アナログ／デジタル変換回路とを含んでもよく、音声信号の利得制御を行う。Ｇ.７１１パルス変調ＰＣＭ符号化・復号器は、アナログ音声からデジタル音声への変換を行い、局部クロック生成回路によってＰＣＭ符号化に必要なクロックを生成する。可変利得は、音声の音量を調整する。デジタル／アナログ変換回路は、デジタル音声に対するデータサンプリングを完成させる。
【００５１】
ボコーダモジュール１０２２は、エコー除去回路を更に含んでもよい。これは、例えば車載ハンドフリーフォンの通信品質の向上に有利である。
【００５２】
上記ソース符号化・復号サブシステム１０２は、更にビデオセンサインタフェース１０９と通信するビデオ高速アナログ／デジタル変換（ＡＤＣ）・デジタル／アナログ変換（ＤＡＣ）モジュール１０２４、及びビデオ符号化・復号モジュール１０２３を含み、上記ソースデータインタフェース中のビデオセンサインタフェース１０９との通信を実現し、上記ビデオセンサインタフェース１０９からのデータはＡＤＣと符号化を経て無線送受信サブシステム１０１に送信され、同時に無線送受信サブシステム１０１からのデータはＤＡＣと復号を経て上記ビデオセンサインタフェース１０９に送信されるように構成されてもよい。
【００５３】
ここでは、データインタフェース１０７、音声インタフェース１０８及びビデオセンサインタフェース１０９を統一してソースデータインタフェースと言う。
【００５４】
２）無線送受信サブシステム１０１
無線送受信サブシステム１０１は、主に、データ及びシグナリングの符号化・復号、変調・復調、バースト形成の完成に用いられ、ＲＦモジュールの上り／下り周波数変換処理を経て、エアインタフェースから無線シグナリングとデータとを送受信する。無線送受信サブシステム１０１の各モジュール間は、無線送受信サブシステム１０１の制御バス１０を介して接続され、該制御バス１０及びインタフェースモジュール１００Ａを介して共通制御処理サブシステム１００に制御される。従って、マルチモードシステム及び異なる要求に応じて特別に配置したシステムをより柔軟にサポートすることができる。
【００５５】
無線送受信サブシステム１０１は、下記を含む。
【００５６】
（１）システム時間シーケンス制御・ＲＦ制御手段１０１０には、モード制御レジスタが設置されており、共通制御処理サブシステム１００が該モード制御レジスタに対する配置を通じてマルチモードシステム間のハンドオーバーを完成し、システム時間シーケンス制御・ＲＦ制御手段１０１０はエアインタフェースのＲＦ＿ｃｔｒｌ信号に接続される。
【００５７】
（２）送信フィルタモジュール１０１１及び受信フィルタモジュール１０１５は、ＩＱ信号の成形フィルタリングの完成に用いられ、送信フィルタモジュール１０１１はエアインタフェースのＴＸ＿Ｉ／Ｑに接続され、受信フィルタモジュール１０１５はエアインタフェースのＲＸ＿Ｉ／Ｑに接続される。
送信フィルタモジュール１０１１と受信フィルタモジュール１０１５は、それぞれ送信ＲＲＣフィルタと受信ＲＲＣフィルタを用いてパルス成形を完成してもよい。ここで受信／送信ＲＲＣフィルタは、係数を再配置可能なハードウェアアクセラレータモジュールに設計して、異なる通信モードの隣接チャネル応答などの性能要求に適応するように構成されてもよい。
【００５８】
（３）バースト成形モジュール１０１２は、例えば下りパイロットＤＷＰＴＳ、上りパイロットＵＰＰＴＳ、普通バーストパルスなどの、ＴＤ−ＳＣＤＭＡプロトコルに符合するバーストパルスを生成してバーストのビーム成形を送信する。
【００５９】
（４）マルチユーザ検出モジュール１０１６は、データ復調、各ユーザデータの検出を行う。
マルチユーザ検出モジュール１０１６に、ユーザ検出アクセラレータを設置してもよい。該ユーザ検出アクセラレータは、汎用アクセラレータに設計してもよい。
【００６０】
（５）インタリーブモジュール１０１３は、送信待ちデータに対してインタリーブ操作を行う。デインタリーブモジュール１０１７は、受信した復調データに対してデインタリーブ操作を行う。
インタリーブモジュール１０１３及びデインタリーブモジュール１０１７には、インタリーブハードウェアアクセラレータ及びデインタリーブハードウェアアクセラレータをそれぞれ設置してもよい。インタリーブハードウェアアクセラレータ及びデインタリーブハードウェアアクセラレータは、それぞれ、チャネル符号化・プレクスモジュール１０１４、チャネル復号・デプレクスモジュール１０１８と共にチャネルの符号化／復号機能を果たす。
【００６１】
（６）チャネル符号化・プレクスモジュール１０１４は、データ伝送チャネルのエラーを低下させ、受信チャネルのＩＱデータは、チャネル復号・デプレクスモジュール１０１８によってチャネル復号とデプレクス操作を行われ、送信チャネルのＩＱデータは、チャネル符号化・プレクスモジュール１０１４によってチャネル符号化とプレクス情報操作を行われる。
【００６２】
チャネル符号化とは、複雑な無線チャンル環境におけるデータの伝送エラーを低下させるために各情報シンボルを符号化することであり、復号とは符号化の逆の過程である。
【００６３】
チャネル復号・デプレクスモジュール１０１８は、Ｖｉｔｅｒｂｉ復号アクセラレータとＴｕｒｂｏ復号アクセラレータを含んでもよい。チャネル符号化・プレクスモジュール１０１４は、無線チャネルを介して伝送するデータに対して誤り検出及び誤り訂正を行うために、異なる通信モードのプロトコル要求に応じてデータに情報冗長を付加してもよい。チャネル符号化・プレクスモジュール１０１４は、複数あってもよい。各チャネル符号化・プレクスモジュール１０１４は、よりよい符号化性能を得るために、カスケード方式によってデータを符号化してもよい。３ＧＰＰ  ＴＤ−ＳＣＤＭＡモードにおいて、主に、畳み込み符号化、２オーダーＲｅｅｄ-ｍｕｌｅｒ符号化などが用いられる。
【００６４】
ＴＤ−ＳＣＤＭＡシステムを例として説明すると、３ＧＰＰ  ２５．２２２プロトコルに基づいて、チャネル符号化・プレクスモジュール１０１４及びチャネル復号・デプレクスモジュール１０１８はそれぞれ主に、下記の符号化、復号、プレクス及びデプレクスの過程を含む。
【００６５】
符号化・プレクス過程は、主に、ＣＲＣチェック符号化、伝送ブロックカスケードとコードブロックセグメンテーション、チャネル畳み込み符号化、無線フレーム等化、一次インタリーブ、無線フレームセグメンテーション、速度マッチング、伝送チャネルプレクス、ビットスクランブリング、二次インタリーブ、サブフレームセグメンテーション、物理チャネルマッピング、ＴＦＣＩ符号化などを含む。
【００６６】
復号・デプレクス過程は、主に、ＴＦＣＩ復号、ＴＦＩ演算、物理チャネルデマッピング、サブフレーム合成、二次デインタリーブ、ビットデスクランブリング、伝送チャネルデプレクス、速度デマッチング、無線フレームカスケード、一次デインタリーブ、フレーム長復元、Ｖｉｔｅｒｂｉ／Ｔｕｒｂｏ復号、符号化ブロックカスケードと伝送ブロックセグメンテーション、ＣＲＣチェックなどを含む。
【００６７】
上記無線送受信サブシステム１０１の構成によると、エアインタフェースの受信チャネルからのＩＱデータは、受信フィルタモジュール１０１５の成形フィルタリングを経て、マルチユーザ検出モジュール１０１６によって成形フィルタリング後のデータを復調及び検出し、デインタリーブモジュール１０１７によって復調した後のデータに対してデインタリーブ操作をし、チャネル復号・デプレクスモジュール１０１８によってチャネル復号及びデプレクス操作をする。その後、共通制御処理サブシステム１００の制御の下で、無線送受信サブシステム１０１による処理を経たＩＱデータを、インタフェースモジュール１００Ａを介してソース符号化・復号サブシステム１０２に送信する。
【００６８】
ソース符号化・復号サブシステム１０２からの送信待ちソースデータは、共通制御処理サブシステム１００の制御の下で、インタフェースモジュール１００Ａを介してチャネル符号化・プレクスモジュール１０１４に送信され、チャネル符号化及びプレクス情報操作を経て、インタリーブモジュール１０１３によって送信待ちデータに対してインタリーブ操作をし、バースト成形モジュール１０１２でＴＤ−ＳＣＤＭＡプロトコルに符合するバーストを生成して、バーストのビーム成形の送信を完成し、さらに、送信フィルタモジュール１０１１の成形フィルタリングを経てエアインタフェースの送信チャネルに送信する。
【００６９】
また、無線送受信サブシステム１０１は、暗号化・復号操作を行う暗号化・復号化アクセラレータモジュール１０１９を含んでもよく、上記モード制御レジスタの中の異なるモードに応じて異なる暗号化操作を実現する。
【００７０】
３ＧＰＰは、３Ｇシステムの基準化制定団体として、３Ｇシステムが初期応用した安全アクセス基準を規範化しており、ＧＳＭ安全アクセスメカニズムとの最大の互換性を保証している。安全アクセス基準には、情報を保護する機密性と完全性アルゴリズム、及びユーザ鑑別の鑑別権とキー協定アルゴリズムが規定されている。
【００７１】
基準には、二つの基準化アルゴリズムｆ８とｆ９が定義されている。ｆ８アルゴリズムは、情報を暗号化して保護し、機密性アルゴリズムと呼ばれ、伝送情報が漏洩又は盗聴されないように保護する。ｆ９アルゴリズムは、情報に対して完全性保護を行い、完全性アルゴリズムと呼ばれ、伝送情報が破壊されないように保護する。伝送情報に対するあらゆる改竄、追加、削除或いは他の破壊性を持つ操作は、全部検出される。基準におけるアルゴリズムを識別する識別ビットは、４桁のビット数で示す。規定された基準化アルゴリズムｆ８、ｆ９のほか、特別な要素を考慮して他のアルゴリズムの使用が許される。例えば、ＴＤ−ＳＣＤＭＡモードの場合、暗号化・復号アルゴリズムは主に、無線リソース制御（ＲＲＣ）、無線リンク制御（ＲＬＣ）、メディアアクセス（ＭＡＣ）レイヤで実現する。そこで、システムにおいてデータが順調に流れ、暗号化・復号操作を容易にすると共にシステムのリアルタイム要求を満たすように、暗号化・復号化アクセラレータモジュール１０１９は、ＲＲＣ、ＲＬＣ、ＭＡＣレイヤの一部のソフトウェアをインストールしたＭＣＵと接続してもよい。
【００７２】
マルチモードシステムにおいて、ＧＳＭモードをサポートする場合、ＧＳＭ基準に符合する暗号化・復号アルゴリズムアクセラレータを配置し、ＤＳＰモジュール１００1と接続する。また、異なるモードに対して、暗号化・復号化アクセラレータモジュール１０１９のモード設定レジスタにおいて異なる配置を行う。
【００７３】
無線送受信サブシステム１０１は、同時に専用及び共通の伝送チャネルの使用を提供する。
【００７４】
適用する専用チャネルは、専用伝送チャネル（ＤＣＨ）があり、上り／下りリンクにおいて、ネットワークと特定のＵＥ間のユーザ情報又は制御情報を搭載する。
【００７５】
適用する制御チャネルは、システムとセルの特有情報をブロードキャストするブロードキャストチャネルＢＣＨ、移動局の所在するセルが不明のとき、システクから移動局に送信する制御情報ページングチャネルＰＣＨ、及び、移動局の所在するセルが既知のとき、システクから移動局に送信する制御情報のフォワードアクセスチャネル（ＦＡＣＨ）がある。ＦＡＣＨは、短いユーザ情報パケットを搭載してもよい。
【００７６】
本発明は、上り共有チャネル（ＵＳＣＨ）と下り共有チャネル（ＤＳＣＨ）二つの伝送チャネルをサポートしてもよい。ＵＳＣＨチャネルは、いくつかのＵＥが共有する上り伝送チャネルであって、専用制御データ或はサービスデータを搭載し、ＤＳＣＨチャネルは、いくつかのＵＥが共有する下り伝送チャネルであって、専用制御データ或はサービスデータを搭載する。
【００７７】
さらに、本発明は、ページング指示チャネル（ＰＩＣＨ）とフォワード物理アクセスチャネル（ＦＲＡＣＨ）二つの特別な物理チャネルの復号処理をサポートする。
【００７８】
３）共通制御処理サブシステム１００
共通制御処理サブシステム１００の主な機能は、無線送受信サブシステム１０１とエアインタフェースとの時間シーケンス制御を行うことと、ベースバンドチップの各サブシステムモジュール間の各種ソフトウェア／ハードウェア中断、メッセージ及び非リアルタイム操作の処理を行うことである。
【００７９】
共通制御処理サブシステム１００は、下記構成を有する。
【００８０】
（１）デジタル信号プロセサー（ＤＳＰ）モジュール１００１及びＤＳＰプログラムとデータとを記憶するためのＤＳＰメモリ１００２を有している。
実際状況に応じて、一つ又は複数のＤＳＰモジュールを採用してもよい。
【００８１】
（２）システム状態機が配置されており、システムにおいて通信モードのハンドオーバー要求がないかをリアルタイムに検出するマイクロ制御器（ＭＣＵ）モジュール１００３及びＭＣＵプログラムとデータとを記憶するためのＭＣＵメモリ１００４を有している。
実際状況に応じて、一つ又は複数のＭＣＵモジュールを採用してもよい。
【００８２】
ＤＳＰモジュール１００１とＭＣＵモジュール１００３の間は、標準バス又は共有メモリなどの通信方式でデータ交互を実現できる。ＤＳＰモジュール１００１とＭＣＵモジュール１００３は、リアルタイムオペレーティングシステムを採用してもよい。ＤＳＰモジュール１００１とＭＣＵモジュール１００３は、ＤＳＰ、ＭＣＵとソース符号化・復号サブシステムとのインタフェースバス１２を介して、無線送受信サブシステム１０１のシステム時間シーケンス制御・ＲＦ制御手段１０１０に接続される。ＤＳＰモジュール１００１又はＭＣＵモジュール１００３は、システム時間シーケンス制御・ＲＦ制御手段１０１０のモード制御レジスタを配置し、さらにモード制御レジスタに配置された制御情報をＤＳＰバス１１と無線送受信サブシステム１０１の制御バス１０とを介して無線送受信サブシステム１０１の他のモジュールに送信して、マルチモードシステムのモード制御を完成するように構成されてもよい。システム時間シーケンス制御・ＲＦ制御手段１０１０は、ＤＳＰモジュール１００１とＭＣＵモジュール１００３の制御の下で、システムのリアルタイム時間シーケンス制御を完成することができる。
【００８３】
チャネル復号・デプレクスモジュール１０１８にＶｉｔｅｒｂｉ復号アクセラレータとＴｕｒｂｏ復号アクセラレータが設置されている場合、ＤＳＰモジュール１００１は該Ｖｉｔｅｒｂｉ復号アクセラレータとＴｕｒｂｏ復号アクセラレータとに接続されて、３ＧＰＰ基準に符合するデータ符号化／復号操作を完成することができる。
【００８４】
マルチユーザ検出モジュール１０１６にマルチユーザ検出アクセラレータが設置されている場合、ＤＳＰモジュール１００１は該マルチユーザ検出アクセラレータに接続され、Ｒａｋｅアクセラレータなどを追加してマルチモード設計をサポートしてもよい。
【００８５】
インタリーブモジュール１０１３とデインタリーブモジュール１０１７にそれぞれインタリーブアクセラレータとデインタリーブアクセラレータが設置されている場合、ＤＳＰモジュール１００１はそれぞれ該インタリーブアクセラレータとデインタリーブアクセラレータに接続されて、チャネル符号化・プレクスモジュール１０１４とチャネル復号・デプレクスモジュール１０１８と共に、必要とするチャネル符号化／復号機能を果たす。
【００８６】
送信フィルタモジュール１０１１と受信フィルタモジュール１０１５がそれぞれ送信ＲＲＣフィルタと受信ＲＲＣフィルタを使用する場合、ＤＳＰモジュール１００１はそれぞれ該送信ＲＲＣフィルタと受信ＲＲＣフィルタに接続されて、パルス成形機能を果たす。
【００８７】
無線送受信サブシステム１０１に暗号化・復号化アクセラレータモジュール１０１９が設置されている場合、該暗号化・復号化アクセラレータモジュール１０１９がＤＳＰモジュール１００１又はＭＣＵモジュール１００３に接続するように配置してもよい。例えば、３ＧＰＰをサポートする場合、暗号化・復号化アクセラレータモジュール１０１９における３ＧＰＰプロトコルに符合するＫａｓｕｍｉ暗号化アルゴリズムが活性化され、ＭＣＵモジュール１００３に接続される。ＧＳＭをサポートする場合、暗号化・復号化アクセラレータモジュール１０１９におけるＧＳＭプロトコルに符合するＣｉｐｈｅｒ暗号化アルゴリズムが活性化され、ＤＳＰモジュール１００１に接続される。他の専門的な応用について、ユーザによるカスタマイズをサポートする特有の暗号化アルゴリズムを配置してもよい。
【００８８】
また、ＤＳＰモジュール１００1とＭＣＵモジュール１００３には、コード圧縮解除回路を含んで、多用途応用と大きな記憶量をサポートし、コード密度とプロセサー処理速度間のネックを解決するように構成されてもよい。
【００８９】
（３）電池充電回路インタフェース１０２とリアルタイムクロック回路インタフェース１０３とを介して移動端末の電力とクロックとを管理する電力・クロック管理モジュール１００５を有している。
【００９０】
電力・クロック管理モジュール１００５は、ＲＦモジュールのＭａｓｔｅｒ  Ｃｌｏｃｋに接続されて、移動端末のＲＦ受信手段によって復元されたＴＤ−ＳＣＤＭＡのシステムクロックを完成し、電力・クロック管理モジュール１００５のＲＦローカル発振器回路を通じて、システムクロック周波数に対するロックを完成する。該モジュールは、ＰＬＬ（Ｐｈａｓｅ  Ｌｏｃｋｉｎｇ  Ｌｏｏｐ）回路、クロック総合回路などを含んでもよい。システムが睡眠状態にあるとき、システムメインクロックがＯＦＦされ、システムフレーム番号の保守をサポートするＲＴＣ回路によってクロックを提供する。一般的に、電力管理回路は、ＭＣＵなどの機能モジュールの管理の下で、現在の移動端末の状態に応じてチップにおける使用しない機能モジュールをＯＦＦする。本発明において、外部リアルタイムクロックを採用して設計を行い、リアルタイムクロックは単独な電池によって電気を供給し、システムに必要なカレンダーなどの機能を提供する。電力・クロック管理モジュール１００５は、電池充放電制御回路を含んでもよい。
【００９１】
（４）キーボード・表示駆動モジュール１００６、及び、ＳＩＭ又はＵＳＩＭ回路１０Ａに接続されたＳＩＭ又はＵＳＩＭ制御モジュール１００Ｂは、単色表示モジュールとカラー表示モジュールとをサポートし、標準キーボードと拡張可能キーボードモジュールとをサポートする。
【００９２】
（５）インタフェース１０４を介して接続された温度センサなどの他のセンサのモニタデータを収集するためのシステムモニタモジュール１００７を有している。
【００９３】
（６）データのダウンロード、ソフトウェアのアップグレード又はデバッグに用いるための周辺シリアルインタフェースモジュール１００８を有している。例えば、ＴＤ−ＳＣＤＭＡのプロトコルスタック分析器１０５は、周辺シリアルインタフェースモジュール１００８を介して移動端末に接続されて、プロトコルスタック符合度のテストなどの各種のテストの下でのシミュレーションを実現するように構成されてもよい。該周辺シリアルは、ＭＣＵチップの専用シリアルであってもよい。
【００９４】
（７）例えばＲＡＭ、ＲＯＭ、ＥＰＲＯＭ及びＥ２ＰＲＯＭなどの、ＭＣＵの外部メモリを接続しサポートする外部バスインタフェースモジュール１００９を有している。また、外部バスインタフェースモジュール１００９は、外部メモリに記憶されたデータを圧縮解除する機能を有して、ＭＣＵ圧縮解除コードを省くことができ、ＭＣＵコードの運行が更に速くなるように構成されてもよい。
【００９５】
共通制御処理サブシステム１００は、ＤＳＰバス１１、ＤＳＰ、ＭＣＵとソース符号化・復号サブシステムとのインタフェースバス１２、及びＭＣＵバス１３を含む。これらのバスによって、共通制御処理サブシステム１００の各モジュールを接続する。
【００９６】
ＤＳＰバス１１は、無線送受信サブシステムの各サブモジュール又は各アクセラレータとＤＳＰとの通信を実現する。ＤＳＰ、ＭＣＵとソース符号化・復号サブシステムとのインタフェースバス１２は、ソース符号化サブシステム１０２及び無線送受信サブシステム１０１と共通制御処理サブシステム１００との通信を実現する。ＭＣＵバス１３は、ＭＣＵインタフェースの各サブモジュールとの通信を実現する。
【００９７】
このようなバス構造を採用することによって、マルチモード又は多種類の応用に向けた設計のためにより柔軟な設計プラットフォームを提供することができる。例えば、マルチモード設計の場合、ＲＦの差異のほか、主な差異は無線送受信サブシステム１０１にある。共通制御処理サブシステム１００によって、ソフトウェアに基づいて無線送受信サブシステム１０１を再配置して、マルチモード設計をサポートするように構成されてもよい。多種類の応用をサポートすべき場合、共通制御処理サブシステム１００によって、ソフトウェアに基づいてソース符号化・復号サブシステム１０２を再配置して、多種類の応用をサポートするように構成されてもよい。
【００９８】
以下、図２を参照して、本発明のベースバンドチップに基づいた移動端末の異なる通信モード間のハンドオーバー過程を詳しく説明する。図２は、本発明による異なるモード間のハンドオーバーフローを示す。システムのデフォルト通信モードを通信モード１とすると、詳しくは下記ステップを含む。
【００９９】
ステップ２００において、移動端末に電力を供給すると、移動端末のベースバンドチップは、ユーザが設置した通信モードに応じて現在の通信モードに対応するソフトウェアを搭載する。
【０１００】
システムのデフォルト通信モードは、無線送受信サブシステム１０１のシステム時間シーケンス制御・ＲＦ制御手段１０１０のモード制御レジスタに予め設定される。また、ベースバンドチップのプログラムメモリ（ＲＯＭ）には、ｂｏｏｔｕｐプログラムが予め設定されている。該ｂｏｏｔｕｐプログラムは、上記モード制御レジスタに設置された異なる通信モードに応じて、異なる通信モードに対応する異なるソフトウェアをＲＯＭに搭載する。
【０１０１】
本ステップにおいて、ｂｏｏｔｕｐプログラムは、現在の通信モード１に対応するソフトウェアをＲＯＭに搭載する。
【０１０２】
ステップ２０１において、ベースバンドチップは、搭載したソフトウェアを運行することによって、無線送受信サブシステムに対して、その各モジュールが現在の選択された通信モードで稼働するように配置する。
【０１０３】
ＭＣＵモジュール１００３又はＤＳＰモジュール１００１は、モード制御レジスタに配置された制御情報を、ＤＳＰバス１１と無線送受信サブシステム１０１の制御バス１０とを介して無線送受信サブシステム１０１の他の各モジュールに送信して、マルチモードシステムのモード制御を完成する。
【０１０４】
本ステップにおいて、無線送受信サブシステム１０１の各モジュールにモード設定レジスタが設置されたものに対して、モード設定レジスタを現在選択された通信モードに設置すればよい。例えば、暗号化・復号化アクセラレータモジュール１０１９の中のモード設定レジスタがある。
【０１０５】
ステップ２０２〜ステップ２０３において、移動端末は、現在の通信モードで稼働し、通信モードのハンドオーバー要求がないかを判断して、ある場合、ステップ２０４に進み、ない場合、ステップ２０２に戻る。
【０１０６】
本ステップにおいて、ベースバンドチップのＭＣＵモジュールのシステム状態機は、通信モードのハンドオーバー要求がないかを検出し判断する。システム状態機の状態が通信モードの変化を表示する場合、通信モードのハンドオーバー要求があることを示し、表示しない場合、通信モードのハンドオーバー要求がないことを示す。
【０１０７】
ステップ２０４〜２０５において、ベースバンドチップは、ハンドオーバーしようとする通信モードに基づいて通信モードを新たに設定し、移動端末をソフトリセットしてからステップ２００に戻る。
【０１０８】
本ステップにおいて、ＭＣＵモジュール１００３は、システム状態機の検出に応じて、ハンドオーバーしようとする通信モードを取得し、システム時間シーケンス制御・ＲＦ制御手段１０１０のモード制御レジスタを新たに設定し、すなわちハンドオーバーしようとする通信モードをモード制御レジスタに書き入れる。
【０１０９】
上記は、本発明の最良の実施例に過ぎず、本発明の保護範囲を限定するものではない。
【図面の簡単な説明】
【０１１０】
【図１】本発明の移動端末のベースバンドチップの構成を示す図である。
【図２】本発明における異なるモード間のハンドオーバーのフローを示すフローチャートである。
【図１】
2009502060.tif 000003
【図２】
2009502060.tif 000004
【国際調査報告】
2009502060.tif 000005
2009502060.tif 000006
2009502060.tif 000007
2009502060.tif 000008